(57)【要約】【課題】  様々なフォーマットの情報が混在して存在する環境において情報の管理を容易に行うことのできる技術を提供する。【解決手段】  本発明の情報処理装置は、ファイルと当該ファイルに対応づけられた評価情報とを保持する保持手段と、前記ファイルに対するアクセスを監視する監視手段と、前記ファイルに対する前記アクセスの種類に基づいて、前記評価情報の増減値を決定する決定手段と、前記アクセスのなされた前記ファイルに対応づけられた前記評価情報を、前記決定手段において決定された前記増減値に基づいて更新する更新手段と、前記ファイルの識別情報を当該ファイルに対応づけられた前記評価情報に基づいて表示制御する表示制御手段とを備える。【選択図】  図３
2006318097.tif 000002
【特許請求の範囲】
【請求項１】
ファイルと当該ファイルに対応づけられた評価情報とを保持する保持手段と、
前記ファイルに対するアクセスを監視する監視手段と、
前記ファイルに対する前記アクセスの種類に基づいて、前記評価情報の増減値を決定する決定手段と、
前記アクセスのなされた前記ファイルに対応づけられた前記評価情報を、前記決定手段において決定された前記増減値に基づいて更新する更新手段と、
前記ファイルの識別情報を当該ファイルに対応づけられた前記評価情報に基づいて表示制御する表示制御手段とを備えることを特徴とする情報処理装置。
【請求項２】
前記表示制御手段は、対応づけられた前記評価情報の値が大きい前記ファイルの前記識別情報を強調表示することを特徴とする請求項１に記載の情報処理装置。
【請求項３】
前記表示制御手段は、前記ファイルに対応づけられた前記評価情報の大きさの順序に従って、当該ファイルの前記識別情報を表示制御することを特徴とする請求項１又は２に記載の情報処理装置。
【請求項４】
前記表示制御手段は、前記保持手段に保持された前記ファイルのうち、所定の値以下の前記評価情報に対応する前記ファイルの前記識別情報を一覧表示し、
前記監視手段は、一覧表示された前記識別情報に対応する前記ファイルを消去するか否かの情報の入力を監視し、
前記監視手段が前記ファイルを消去する旨の情報の入力を監視した場合、一覧表示された前記識別情報に対応する前記ファイル及び当該ファイルに対応づけられた前記評価情報を前記保持手段から消去する消去手段を更に備えることを特徴とする請求項１乃至３のいずれか１項に記載の情報処理装置。
【請求項５】
記憶手段を備える外部装置と通信可能な情報処理装置であって、
ファイルと、当該ファイルに対応づけられた評価情報を含む補助情報とを保持する保持手段と、
前記保持手段に保持された前記ファイルのうち、前記補助情報に基づいて前記外部装置に転送する候補を転送候補ファイルとして抽出する抽出手段と、
前記抽出手段により抽出された前記転送候補ファイルのサイズの合計値を算出する算出手段と、
前記外部装置と通信し、当該外部装置が備える前記記憶手段の空き容量を取得する取得手段と、
前記算出手段により算出された前記合計値と前記空き容量とを比較して、前記合計値が前記空き容量よりも大きい場合、前記転送候補ファイルの組み合わせであって、当該組み合わせに含まれる前記転送候補ファイルの合計サイズは前記空き容量を超えず、且つ、当該組み合わせに含まれる前記転送候補ファイルに対応する前記評価情報は抽出された前記転送候補ファイルの上位を占めている組み合わせを選択し、当該選択された組み合わせに含まれる前記転送候補ファイルを前記所定の外部装置に送出する第１の送出手段と、
前記算出手段により算出された前記合計値と前記空き容量とを比較して、前記合計値が前記空き容量と等しい又は小さい場合、前記抽出手段により抽出された前記ファイルを前記所定の外部装置に送出する第２の送出手段とを備えることを特徴とする情報処理装置。
【請求項６】
前記ファイルに対するアクセスを監視する監視手段と、
前記ファイルに対する前記アクセスの種類に基づいて、前記評価情報の増減値を決定する決定手段と、
前記アクセスのなされた前記ファイルに対応づけられた前記評価情報を、前記決定手段において決定された前記増減値に基づいて更新する更新手段とを更に備えることを特徴とする請求項５に記載の情報処理装置。
【請求項７】
記憶手段を備える外部装置と通信可能な情報処理装置であって、
ファイルと、当該ファイルに対応づけられた評価情報を含む補助情報とを保持する保持手段と、
前記保持手段に保持された前記ファイルのうち、所定の値以下の前記評価情報に対応する前記ファイルを抽出する抽出手段と、
前記抽出手段において抽出された前記ファイルを識別情報を前記外部装置に送出し、前記外部装置の前記記憶手段に記憶された前記識別情報に対応するファイルを削除するように前記外部装置を制御する制御手段とを備えたことを特徴とする情報処理装置。
【請求項８】
ファイルと当該ファイルに対応づけられた評価情報とを保持手段に保持する保持工程と、
前記ファイルに対するアクセスを監視する監視工程と、
前記ファイルに対する前記アクセスの種類に基づいて、前記評価情報の増減値を決定する決定工程と、
前記アクセスのなされた前記ファイルに対応づけられた前記評価情報を、前記決定工程において決定された前記増減値に基づいて更新する更新工程と、
前記ファイルの識別情報を当該ファイルに対応づけられた前記評価情報に基づいて表示制御する表示制御工程とを備えることを特徴とする情報処理装置の制御方法。
【請求項９】
前記表示制御工程は、対応づけられた前記評価情報の値が大きい前記ファイルの前記識別情報を強調表示することを特徴とする請求項８に記載の情報処理装置の制御方法。
【請求項１０】
前記表示制御工程は、前記ファイルに対応づけられた前記評価情報の大きさの順序に従って、当該ファイルの前記識別情報を表示制御することを特徴とする請求項８又は９に記載の情報処理装置の制御方法。
【請求項１１】
前記表示制御工程は、前記保持手段に保持された前記ファイルのうち、所定の値以下の前記評価情報に対応する前記ファイルの前記識別情報を一覧表示し、
前記監視工程は、一覧表示された前記識別情報に対応する前記ファイルを消去するか否かの情報の入力を監視し、
前記監視工程が前記ファイルを消去する旨の情報の入力を監視した場合、一覧表示された前記識別情報に対応する前記ファイル及び当該ファイルに対応づけられた前記評価情報を前記保持工程から消去する消去工程を更に備えることを特徴とする請求項８乃至１０のいずれか１項に記載の情報処理装置の制御方法。
【請求項１２】
記憶手段を備える外部装置と通信可能な情報処理装置の制御方法であって、
ファイルと、当該ファイルに対応づけられた評価情報を含む補助情報とを保持手段に保持する保持工程と、
前記保持手段に保持された前記ファイルのうち、前記補助情報に基づいて前記外部装置に転送する候補を転送候補ファイルとして抽出する抽出工程と、
前記抽出工程により抽出された前記転送候補ファイルのサイズの合計値を算出する算出工程と、
前記外部装置と通信し、当該外部装置が備える前記記憶手段の空き容量を取得する取得工程と、
前記算出工程により算出された前記合計値と前記空き容量とを比較して、前記合計値が前記空き容量よりも大きい場合、前記転送候補ファイルの組み合わせであって、当該組み合わせに含まれる前記転送候補ファイルの合計サイズは前記空き容量を超えず、且つ、当該組み合わせに含まれる前記転送候補ファイルに対応する前記評価情報は抽出された前記転送候補ファイルの上位を占めている組み合わせを選択し、当該選択された組み合わせに含まれる前記転送候補ファイルを前記所定の外部装置に送出する第１の送出工程と、
前記算出工程により算出された前記合計値と前記空き容量とを比較して、前記合計値が前記空き容量と等しい又は小さい場合、前記抽出工程により抽出された前記ファイルを前記所定の外部装置に送出する第２の送出工程とを備えることを特徴とする情報処理装置の制御方法。
【請求項１３】
前記ファイルに対するアクセスを監視する監視工程と、
前記ファイルに対する前記アクセスの種類に基づいて、前記評価情報の増減値を決定する決定工程と、
前記アクセスのなされた前記ファイルに対応づけられた前記評価情報を、前記決定工程において決定された前記増減値に基づいて更新する更新工程とを更に備えることを特徴とする請求項１２に記載の情報処理装置の制御方法。
【請求項１４】
記憶手段を備える外部装置と通信可能な情報処理装置の制御方法であって、
ファイルと、当該ファイルに対応づけられた評価情報を含む補助情報とを保持手段に保持する保持工程と、
前記保持手段に保持された前記ファイルのうち、所定の値以下の前記評価情報に対応する前記ファイルを抽出する抽出工程と、
前記抽出工程において抽出された前記ファイルを識別情報を前記外部装置に送出し、前記外部装置の前記記憶手段に記憶された前記識別情報に対応するファイルを削除するように前記外部装置を制御する制御工程とを備えたことを特徴とする情報処理装置の制御方法。
【請求項１５】
請求項８乃至１４のいずれか１項に記載の情報処理装置の制御方法をコンピュータに実行させるためのコンピュータプログラム。
【請求項１６】
請求項１５に記載のコンピュータプログラムを格納したコンピュータ読み取り可能な記憶媒体。
【発明の詳細な説明】
【技術分野】
【０００１】
本発明は記憶装置に記憶された情報を容易に管理可能とする技術に関する。
【背景技術】
【０００２】
従来より、記憶装置に記憶された情報をユーザが容易に管理可能とすることを目的とした技術が知られている。
【０００３】
例えば、パーソナルコンピュータ（ＰＣ）等の情報処理装置において、ユーザがファイルを識別して管理可能とするために、ファイル名やファイルに対応したアイコン等を、ファイルの更新日時やファイルサイズ、ファイルの種類等の情報とともに表示制御する方法が知られている。また、従来よりファイル名やファイルに対応したアイコン等を、ファイル名や更新日時、ファイルサイズ、ファイルの種類等に基づいてソートし、一覧表示する方法が知られている。
【０００４】
また、動画像ファイルについてユーザが選択した動作モード（通常再生、通常よりも早いスピードでの再生、通常よりも遅いスピードでの再生等）に基づいて動画像の各シーンに所定の重み付けを行い、この重み付けの履歴を利用して動画検索を行う技術も知られている（特許文献１）。
【０００５】
また、与えられた検索文字列を含む文書をデータベースから検索する文書検索装置において、所望の検索文字列を視覚的に強調して入力する手段と入力されたその視覚的に強調された文字が含まれる検索文字列をキーとして検索する手段を設け、その強調された文字が含まれる文書を優先的に検索結果として出力する技術も知られている（特許文献２）。これには、更に、検索文字列を視覚的に強調して入力する手段において、強調したい文字上でマウスがクリックされるとその文字のフォントを大きく表示制御する技術が開示されている。
【特許文献１】特開平５−５４０８５号公報
【特許文献２】特開平９−１５３０６１号公報
【発明の開示】
【発明が解決しようとする課題】
【０００６】
しかしながら、従来の情報処理装置における、ファイル名やファイルに対応したアイコン等を表示制御する方法においては、ユーザにとって重要なファイルもそうでないファイルも同様に表示制御されていた。このため、重要なファイルとそうでないものとを一見して区別することが困難であり、使い勝手が悪かった。
【０００７】
また、特許文献１には、ユーザの操作に基づいて動画像の各シーンの重要度を自動的に判定し、判定された重要度を利用して検索を行う構成が開示されているが、この構成が管理対象としている情報は動画像情報であるため、例えば、テキストファイルやワードプロセッサファイル、描画ソフトファイル等の様々なフォーマットの情報が混在して存在する環境に適用することはできなかった。
【０００８】
また、特許文献２には、検索文字列に対して容易に属性情報を付加し、検索文字列と属性情報とを用いて検索を行うことを可能とする構成が示されているが、この構成はテキスト情報のマッチングに基づくものであるため、様々なフォーマットの情報が混在して存在する環境に適用することはできなかった。
【０００９】
本発明は上記問題に鑑みなされたものであり、様々なフォーマットの情報が混在して存在する環境において情報の管理を容易に行うことのできる技術を提供することを目的とする。
【課題を解決するための手段】
【００１０】
上記目的を達成するため、本発明による情報処理装置は以下の構成を備える。即ち、
ファイルと当該ファイルに対応づけられた評価情報とを保持する保持手段と、
前記ファイルに対するアクセスを監視する監視手段と、
前記ファイルに対する前記アクセスの種類に基づいて、前記評価情報の増減値を決定する決定手段と、
前記アクセスのなされた前記ファイルに対応づけられた前記評価情報を、前記決定手段において決定された前記増減値に基づいて更新する更新手段と、
前記ファイルの識別情報を当該ファイルに対応づけられた前記評価情報に基づいて表示制御する表示制御手段とを備える。
【発明の効果】
【００１１】
本発明によれば、様々なフォーマットの情報が混在して存在する環境において情報の管理を容易に行うことのできる技術を提供することができる。
【発明を実施するための最良の形態】
【００１２】
以下、添付図面を参照して本発明に係る実施の形態を詳細に説明する。ただし、この実施の形態に記載されている構成要素はあくまでも例示であり、本発明の範囲をそれらのみに限定する趣旨のものではない。
【００１３】
＜＜第１実施形態＞＞
図１は本実施形態に対応する情報処理装置の使用形態を模式的に示した図である。図１において、１は携帯情報機器（情報処理装置）であり、後述するようにカメラ部４、（液晶）表示部２０２、抵抗膜等で構成されている位置座標入力部２０１、ＣＰＵ２０６、ＲＯＭ８、ＲＡＭ７、記録メディア（例えば、フレキシブルディスク（ＦＤ）、ＣＤ−ＲＯＭ、ＣＤ−Ｒ、ＣＤ−ＲＷ、ＰＣカード、ＤＶＤ、ＩＣメモリカード、ＭＯ、メモリスティック等）を差し込むスロット（不図示）、他の情報機器と接続するためのＵＳＢ等のインタフェース（Ｉ／Ｆ）１０等から構成されている。携帯情報機器１は、カメラ部４で撮影した画像データを液晶表示部２０２に表示する処理や、その画像データに付加するメモ情報等を座標入力部２０１を介して入力される軌跡データに基づいて作成する処理等を行う。ＲＯＭ８には、本実施形態に対応する携帯情報機器の情報処理手順が記憶されている。ＲＡＭ７には、画像データ、入力された軌跡データ等が記憶されている。
【００１４】
携帯情報機器１は、入力された手書き軌跡データを解析しテキスト（文字）データとして認識する手書き文字認識手段（公知技術、不図示）を備えており、手書き軌跡データを入力することでテキストデータを入力することができる。もちろん、手書き軌跡を直接画像データとして入力することもできる。例えば、このような形で入力されたデータはメモ情報として画像データに付加することができる。また、携帯情報機器１は、作成した画像データやテキストデータを編集したり、表示再生等を行う機能を備えている。
【００１５】
携帯情報機器１は、ユーザの指示操作に基づいて、画像データを、付加されているならばメモ情報とともに、ＵＳＢ等のインタフェース１０や、記録メディア、ネットワーク（不図示）等を介して、パーソナルコンピュータ（ＰＣ）やワークステーション（ＷＳ）、或いは、プリンタ、携帯機器等の外部装置へ送出制御する。ここで、ネットワークは、典型的には、インターネットであるが、有線／無線を問わず、公衆回線（アナログ回線、ＩＳＤＮ等）やＬＡＮ、ＷＡＮ、無線ＬＡＮ等のデータ送受信可能な回線であれば、どのような構成でもよい。尚、携帯情報機器１は、ユーザの支持操作に基づいて電子メイルを作成し、作成した電子メイルをネットワークを介して所定の装置へ送出する機能を備えている。
【００１６】
上記のように新規に作成された、或いは、編集された画像データやテキストデータ、電子メイルデータ等のファイルは、携帯情報機器１の制御に基づいて、後述する重み付け評価値等の補助情報とともに携帯情報機器１の記憶装置（例えば、ＲＡＭ７等）に記憶制御される。
【００１７】
２は、表示入力制御部であり、液晶表示部２０２の上面に座標入力を行う位置座標入力部２０１が取りつけられて構成されている。位置座標入力部２０１上が３のペンにより押圧されると、携帯情報機器１は押圧された位置の軌跡を読みとる。これにより、ユーザは手書きの軌跡を入力することができ、例えば、電子メイル等を作成することができる。
【００１８】
３は、ユーザが位置座標入力部２０１を押圧するために用いるペン型の指示棒（タッチペン、スタイラス）であり、手書き軌跡情報の入力や、表示画面上のソフトボタン、ソフトキーボード等の選択等に利用される。本実施形態では３をペンと呼ぶ。
【００１９】
４は、静止画像や動画像を撮像するカメラ部であり、レンズ、ＣＣＤ等の撮像素子、ＣＣＤの制御回路等で構成されている。カメラ部４のＣＣＤの制御回路はシステムバス１１経由でＣＰＵ２０６に接続している。カメラ部４は、携帯情報機器１内のＣＰＵ２０６によって制御され、撮影した画像データはデジタルデータとしてＲＡＭ７に記憶制御される。携帯情報機器１は、カメラ部４で撮影した画像を電子メイルに添付して送ることが可能なように制御する。
【００２０】
５は、ＰＣやＷＳ等の情報処理装置であり、ネットワーク（ローカルネットワーク等）やＵＳＢインタフェース等を介して携帯情報機器１と接続されている。その接続インタフェースを使って、画像ファイル６等のデータを通信する。
【００２１】
次に、本実施形態に対応する情報処理装置である携帯情報機器１の構成について図２を参照して説明する。図２は携帯情報機器１のブロック図である。
【００２２】
図２において、２０１は位置座標入力部であり、本実施形態では透明の抵抗膜デジタイザで構成されている。抵抗膜デジタイザは制御回路を介して、システムバス１１経由でＣＰＵ２０６に接続しており、３のペンによって画面（位置座標入力部２０１）上が押圧されると、ＣＰＵ２０６は、押圧した位置の位置座標データを読み取る。ＣＰＵ２０６は、読みとった位置座標データに基づいて、例えば、ファイルに対応するアイコンを一覧表示する画面等においては、アイコンの表示座標と入力された位置座標とが近接している場合はアイコンが選択されたものと判定し、アイコンに対応するファイルの内容を表示したり、或いは、ファイルを編集することが可能なアプリケーションを立ち上げてファイルを編集可能にする等の処理を行う。尚、位置座標入力部２０１は、抵抗膜デジタイザ以外の構成によって実現されてもよい。
【００２３】
２０２は表示部であり、本実施形態においては、液晶表示素子、液晶制御回路、表示メモリ等から構成される一般的な液晶表示部とする。表示部２０２は、システムバス１１経由でＣＰＵ２０６に接続しており、ＣＰＵ２０６からの指示に基づいて、画像データやアイコン、手書き軌跡データを画面上に表示制御する。２０３は、一般的なキーボードで、キーが押下されることにより英数字等のキーコードが入力され、ＣＰＵ２０６はキーコードを読み取る。
【００２４】
２０６は、一般的なＣＰＵであり、システムバス１１を介して、ＲＡＭ７、ＲＯＭ８、位置座標入力部２０１、表示部２０２等と接続しており、ＲＯＭ８に記憶されているプログラムによって処理動作を行う。７は、一般的なＲＡＭであり、画像データの保存や、プログラムのワーク領域として用いられる。尚、本実施形態における携帯情報機器１のＲＡＭ７は、バッテリ等でバックアップされることによって不揮発性メモリとして機能するものとする。また、ＲＡＭ７をハードディスク装置で実装してもよい。
【００２５】
８は、一般的なＲＯＭであり、ここにファイルの編集や表示等の操作履歴を記憶する処理や、操作履歴の操作種類別の重み付け評価値を決定する処理、重み付け評価値をファイルに付加して記憶する処理、ファイルの重み付け評価値に基づいてファイルアイコンの表示制御処理等を行うプログラムが記憶されている。また、ＣＣＤの制御プログラム、液晶表示部の制御プログラム、手書き軌跡の認識プログラム、手書き軌跡形状の辞書データ等の情報も記憶されている。
【００２６】
９は、デジタルカメラ等で用いられる一般的なコンパクトフラッシュ（登録商標）のカードのインタフェース部（以下、画像メディアＩ／Ｆと呼ぶ）であり、差し込まれたコンパックトフラッシュカードを通じて、例えば、画像データ等のデータの読み込みや書き込みを実現する。尚、Ｉ／Ｆ９がアクセスを実現する記録媒体のメディアは、コンパクトフラッシュ（登録商標）のカードに限られるわけではなく、用途や目的に応じて、例えば、フレキシブルディスク（ＦＤ）、ＣＤ−ＲＯＭ、ＣＤ−Ｒ、ＣＤ−ＲＷ、ＰＣカード、ＤＶＤ、ＩＣメモリカード、ＭＯ、メモリスティック等、任意である。
【００２７】
１０は、一般的なＵＳＢインタフェース部（以下、ＵＳＢ  Ｉ／Ｆと呼ぶ）であり、ＣＰＵ２０６によって制御され、例えば、外部のパーソナルコンピュータ等と接続して、手書き軌跡データファイルや画像データファイル等のやり取りを行うために用いられる。１１は、一般的なシステムバスであり、ＣＰＵ２０６とＲＯＭ８／ＲＡＭ７等の他のデバイス等とのデータやり取りを行う。
【００２８】
２０７は、一般的な通信カードで、内部にＰＨＳ回線への接続コントローラやアンテナ等を内蔵している。通信カード内のコントローラに規定のコマンドを渡すことによって、公衆回線へ接続し、電子メイル等の通信データを送受信することができる。尚、通信カード２０７が接続するネットワークはＰＨＳ回線に限られるわけではなく、例えば、有線／無線を問わず、公衆回線（アナログ回線、ＩＳＤＮ等）やＬＡＮ、ＷＡＮ、無線ＬＡＮ等のデータ送受信可能な回線であれば、どのようなものでもよい。また、ネットワークを用いた通信プロトコルは、例えば、ＴＣＰ／ＩＰや通常の電子メールの送受信プロトコルを採用することができる。
【００２９】
尚、以上の各装置と同等の機能を実現するソフトウェアにより、ハードウェア装置の代替として構成することもできる。
【００３０】
次に、本実施形態に対応する情報処理装置である携帯情報機器１の機能構成について、図３を参照して説明する。図３は本実施形態に対応する情報処理装置の機能構成図である。
【００３１】
図３において、位置座標入力部２０１及び表示部２０２は、先に述べたように表示入力制御部２を構成し、ユーザインタフェースとしての役割を担う。位置座標入力部２０１の所定の位置がペン３により押下されると、ＣＰＵ２０６は、位置座標入力部２０１を介して入力された場所の位置座標データを取得し、取得した位置座標データを位置座標操作処理部３０１に送出制御する。
【００３２】
３０１は位置座標操作処理部で、２０１の位置座標入力部から送られて来るＸＹ座標データの値と、記憶しているファイルアイコンの位置座標とを比較し、ペン３により押下された位置の座標に近接しているアイコンが存在するか否かを判定する。この判定処理は、例えば、押下された位置とアイコンの位置との絶対的な距離（座標値により算出される）が閾値以下であるか否かに基づいて行う。該当するファイルアイコンが存在する場合は、ファイルアイコンの内容表示や編集表示処理等を行うアプリケーションを起動するように制御する。また、操作するファイル名や操作の種別情報を、後述する操作履歴記憶部３０２に送出制御する。
【００３３】
３０２は操作履歴記憶部であり、３０１の位置座標操作処理部から送られて来る操作ファイル名や操作種別をＲＡＭ７等の記憶装置に記憶制御する。
【００３４】
３０３は、本実施形態に対応する情報処理装置が取り扱う画像ファイルやテキストファイル等の全ファイルを記憶しておく手段である、ファイル記憶部である。携帯情報機器１では、フラッシュメモリーや超小型のハードディスク等の不揮発性記憶装置によって構成されている。
【００３５】
３０４は操作重み付け評価処理部であり、操作種別に応じた重み付けを行ったファイルの評価値を決定する。そして、ここで決定した評価値をファイル記憶部３０３に送出し、ファイルの補助情報としてファイル内に評価値を記憶させる。
【００３６】
３０５はファイル一覧表示部であり、評価値に基づいてファイルの順序を決定し、決定した順序に基づいてファイルに対応したアイコン等を表示制御した表示画面を作成する。そして、作成した表示画面を表示部２０２へ送出する。
【００３７】
尚、本実施形態においては、これらの処理は、図２のＲＯＭ８等の記憶装置に記憶されているプログラムに基づいて制御されるものとするが、専用のハードウェアによって構成してもよい。
【００３８】
次に、ファイルの操作種別毎の評価値への重み付けについて図４を参照して説明する。図４は、ファイル操作種類毎の、操作重み付け評価値、ファイル操作処理の例を表した図である。例えば、ファイルを編集する操作がなされた場合は、その操作に基づいて評価値を２増加するように制御する。ファイル編集とは、例えば、画像ファイルの場合、コントラストを調整したり手書きで絵を追加したりするような操作処理である。その画像編集処理自体は、公知技術である画像編集アプリケーションを用いることができるので、説明は省く。
【００３９】
また、本実施形態に対応する情報処理装置は、ファイルに対する操作によってはファイルの評価値のみを変更する処理を行う。このような操作は、例えば、ペン３を用いてファイルアイコンを上又は下に引っ掻くようにしてストロークを描く動作である。このような操作がなされた場合、ファイルの評価値のみを変更するように制御することにより、ユーザはある特定ファイルの評価値を任意に変更する事が可能である。
【００４０】
図４の例では、ファイルアイコンを上に引っ掻く操作は評価値に１加算することに対応しており、ファイルアイコンを下に引っ掻く操作は評価値から１減算することに対応している。このため、例えば、ペン３を用いてアイコン上で２回上方向に引っかくストロークが描かれると、本実施形態に対応する情報処理装置は評価値に２加算するように制御する。また、例えば、ユーザがあるファイルの評価値を３減産したい場合は、そのファイルのアイコン上でペンで下方向に引っ掻く動作を３回行えば良い。本実施形態では加減値を１としたがどのような値でもよい。また、携帯情報機器１に備えられた不図示のスイッチを押した状態でペン３を用いた引っ掻き動作を行うと、より大きな値（例えば５）を評価値に加減するような構成にしてもよい。さらに、もちろん、評価値のみを変更する処理に対応する操作は、ペン３を用いた引っ掻き動作に限られるわけではなく、別のペン・ジェスチャー動作に対応させてもよい。
【００４１】
図５、図６はファイルの一覧表示画面を例示的に示した図である。図５のようにファイルの一覧表示画面は、ファイルを識別するアイコンを表示したファイル表示領域５０１と、ファイル表示領域５０１に表示制御するアイコンをスクロールして切り替えることを可能にするスクロールバー５０２とから構成される。図５、６については後に詳細に説明する。
【００４２】
次に、本実施形態に対応する情報処理装置の記憶装置（ＲＡＭ７等）における、各ファイルの記録構造について図７を参照して説明する。図７は、記憶装置に記憶されたファイルの記録構造を模式的に示した図である。
【００４３】
図７のように、１つのファイルは、ファイルの識別子であるファイル名７０１、上述した評価値７０２、ファイルの種類を示す情報が格納されたファイルヘッダ情報７０３、及び、ファイルの実データであるファイルデータ７０４等の各情報から構成されている。但し、ファイルヘッダ情報７０３は、ファイルの種類を示す情報であればどのようなものでもよく、例えば、予め定められた所定ビット長の識別情報や、任意長の文字列等で構成してもよい。また、これらの情報に限られず、例えば、ファイルの作成日時や最終更新日時、最終アクセス日時、ファイルが作成された情報処理装置のＩＤ等の情報も格納されているものとする。図７において、例えば、ファイル名７０１が「海の写真．ＪＰＧ」のファイルは、５６の評価値７０２を有しており、ＪＰＥＧファイルであることを示すファイルヘッダ情報７０３とＪＰＥＧ形式の画像データであるファイルデータ７０４を有している。尚、ファイルの記録構造はこのようなものに限られるわけではない。例えば、Ｆｉｌｅ  Ａｌｌｏｃａｔｉｏｎ  Ｔａｂｌｅ（ＦＡＴ）等が、各ファイルのファイル名や評価値をまとめて管理するような構成にしてもよい。或いは、ファイルデータの固定部分に評価値を格納するような構成にしてもよい。評価値を設定されたファイルをＰＣ等の既存の情報処理装置へ移動する場合は、例えば、ファイルデータの固定部分に評価値を格納するようにする。
【００４４】
次に、本実施形態に対応する情報処理装置が実行する、ファイルの評価値に重み付けを行う処理、評価値に基づいてファイルに対応したアイコンを表示制御する処理、評価値に基づいてファイルの削除を制御する処理について、それぞれ図８、図９、１０を参照して説明する。図８、図９、図１０は上記構成において行われる処理のフローチャートである。
【００４５】
尚、ここでは、ユーザにより、ペン３でファイルアイコンが指定され、従来より知られているメニュー操作やジェスチャー操作によってファイルの編集表示等の操作が指示された場合を考える。このような編集表示操作を可能とする環境は、従来の携帯情報端末において提供されている処理と同様の処理によって実現されるものとする。図８のフローチャートに示した処理は、ユーザの指示入力（アクセス）に基づいて、ファイルの操作の種類（例えば、ファイルの新規作成、ファイルアイコンを引っ掻く動作、内容表示、編集等）が決定した後に開始する。
【００４６】
まず、ステップＳ８０１において、ファイル操作評価値決定記憶処理を開始する。即ち、ＲＡＭ７等の記憶装置においてワーク領域の初期化を行い、このワーク領域にファイル操作の種類を記憶する等の処理を行う。尚、ファイル操作の種類の判定は、オペレーティングシステムやアプリケーションプログラムのイベント監視によって行われる。
【００４７】
次に、ステップＳ８０２において、ワーク領域に記憶されたファイル操作の種類がファイルの新規作成であるか否かを判定する。ファイルの新規作成の場合（ステップＳ８０２でＹＥＳ）はステップＳ８０３に進み、そうでない場合（ステップＳ８０２でＮＯ）はステップＳ８０４に進む。
【００４８】
ステップＳ８０３においては、ファイルの評価値の初期値１を記録する処理を行う。即ち、図７に例示したファイルのデータ構造の評価値７０２の記憶領域に１を記録する。本実施形態では初期値１としたが実際の使用状態を加味して他の値にしても良いし、ユーザ指定で変更可能にしても良い。この初期値の記録が終ったら、ステップＳ８１４を進み、次のファイル操作が行われるまで入力待ちになる。尚、ファイルが新規に作成された場合は、まず、図７に示す、ファイル名７０１、評価値７０２、ファイルヘッダ情報７０３、ファイルデータ７０４の各項目からなるデータ構造がＲＡＭ７等の記憶装置に記憶され、記憶処理の後直ちにステップＳ８０１〜Ｓ８０３の処理がなされるものとする。
【００４９】
ステップＳ８０４において、ワーク領域に記憶されたファイル操作の種類が、ファイルアイコン上でのスクラッチ操作であるか否かのチェックを行う。但し、ファイルアイコンをペン３で引っ掻くように入力する操作、より具体的には、表示面２０２に表示されたファイルアイコン上の位置座標入力部２０１にペン３を接触（ダウン）し、そこからアイコンの上か下に直線（ストローク）を素早く書く操作をスクラッチ操作と呼ぶ。ワーク領域に記憶されたファイル操作の種類が、スクラッチ操作である場合（ステップＳ８０４でＹＥＳ）はステップＳ８０５へ進み、そうでない場合（ステップＳ８０４でＮＯ）はステップＳ８０６へ進む。
【００５０】
ステップＳ８０５においては、まず、スクラッチの方向が上方向か、下方向かを判定する。この判定はスクラッチの軌跡の座標に基づいて行う。スクラッチの方向が上の場合は評価値に１加算し、スクラッチの方向が下の場合は評価値から１減算する処理を行う。即ち、スクラッチ方向が上の場合は、そのファイルアイコンに対応するファイルデータの評価値を読み込み、読み込んだ評価値＋１加算して、ファイルデータ評価値を更新する訳である。例えば、図７の海の写真．ＪＰＧファイルであれば、評価値５６が読み出され、５６＋１＝５７が新たに記憶される。新たな値が記憶されたらステップＳ８１４へ進み、次のファイル操作が行われるまで入力待ちになる。
【００５１】
ステップＳ８０６において、ワーク領域に記憶されたファイル操作の種類が、ファイル内容の表示再生操作であるか否かのチェックを行い、ファイル内容の表示再生操作であれば（ステップＳ８０６でＹＥＳ）ステップＳ８０７に進み、それ以外の操作であれば（ステップＳ８０６でＮＯ）、ステップＳ８０８に進む。但し、ファイル内容の表示再生操作とは、ファイルの内容をユーザが閲覧可能に表示又は再生を行う処理を行う操作であり、例えば、ファイルが動画ファイルであれば動画を表示制御したり、ファイルが静止画像ファイルであれば画像を形成して表示部２０２に表示制御する操作である。
【００５２】
ステップＳ８０７においては、ファイル内容の表示再生操作の評価値加算処理を行う。例えば、指定されたファイルが静止画である場合は、内容表示を行った後、ファイルデータの評価値を読み込み、それに＋１加算した値を新たな評価値とし、新たな評価値をファイルデータ内の評価値記憶領域に記憶する。もし指定されたファイルが、動画ファイルや、音声ファイルであった場合は、そのファイルの（再生時間／標準再生時間）の値を評価値として加算する。つまり再生時間が３分の音声ファイルを繰り返し再生等で６分間再生すれば、評価値は２加算される訳である。このように、再生時間に基づいて評価値への加算値を変化させ、より長く頻繁に視聴する動画や音声ファイルの評価値にはより大きな値を加算するように制御するため、ユーザにとっての重要性と評価値との相関を高めることができる。新たな値が記憶されたらステップＳ８１４へ進み、次のファイル操作が行われるまで入力待ちになる。
【００５３】
ステップＳ８０８においては、ワーク領域に記憶されたファイル操作の種類が、ファイルの編集操作であるか否かのチェックを行い、ファイルの編集操作であれば（ステップＳ８０８でＹＥＳ）ステップＳ８０９に進み、それ以外の操作であれば（ステップＳ８０８でＮＯ）、ステップＳ８１０に進む。
【００５４】
ステップＳ８０９においては、まず編集操作によってファイル内容が変更されたか否かを判定する。ファイル内容が変更された場合は、ファイルの評価値を読み込み、その評価値に＋２を加算した値を新たな評価値として記憶する処理を行う。編集操作に移行しても、ファイル内容が変更されなかった場合は、評価値の更新は行わないものとする。又、本実施形態ではファイル内容を変更した場合、評価値を一律に＋２加算する構成としたが、より細かく制御する構成、即ち、ファイル内容の変更量に応じて、評価値の加算値の値が変動する構成にしても良い。例えば、変更量が３０％以下であれば評価値を＋２とし、変更量が３０％以上７０％以下であれば評価値を＋３とし、変更量が７０％以上であれば評価値を＋４とする構成である。ここで言う変更量とは、例えばあるテキストファイルが１００文字のファイルだとして、そこに３１文字追加すれば、（３１／１００）＊１００＝３１％の変更量となる。また、静止画像であれば、その静止画像の面積の４０％にあたる画像を追加すれば、４０％の変更量とする。また、１０分の時間の動画ファイルに１分の動画ファイルを追加すれば、１０％の変更量となる。また、もちろん、編集によって変更されたデータの絶対量に基づいて評価値の変更量を決定する構成にしてもよい。このように編集によって変更された変更量に基づいて評価値の変更量を制御することで、ユーザにより大きく変更されたファイルには高い評価値が設定されることになる。新たな値が記憶されたらステップＳ８１４へ進み、次のファイル操作が行われるまで入力待ちになる。
【００５５】
ステップＳ８１０においては、ワーク領域に記憶されたファイル操作の種類が、ファイルをメイル（電子メール）等に添付する操作であるか否かのチェックを行い、メイルに添付する操作であれば（ステップＳ８１０でＹＥＳ）ステップＳ８１１に進み、それ以外の操作であれば（ステップＳ８１０でＮＯ）ステップＳ８１２に進む。
【００５６】
ステップＳ８１１において、ファイルをメイルに添付する操作を行い、宛先が１つの場合は、評価値に２加算して記憶させる。もし、宛先が複数の場合は、その宛先の数＊２の値を評価値に加算して新たな評価値としてその添付するファイルの評価値記憶領域に記憶させる。このようにファイルを添付するメイルの宛先の数に応じて評価値の加算量を変動させることで、より多くの宛先に配送される重要なファイルには高い評価値が設定されることになる。もちろん、利用状況や用途に応じて、評価値に加算する量を宛先の数に依存せず固定値とした構成にしてもよい。尚、メイルの宛先にもファイルに内包された形で評価値が渡される。これは、ユーザの指示入力によりメイルの送信が指示された場合、まず、本実施形態に対応する情報処理装置のＲＡＭ７等の記憶装置に記憶されたファイルの評価値を変更し、変更した後のファイルをメイルに添付することにより実現される。このように構成することで、メイルの受信先のシステムにおいても本実施形態に対応する評価値に基づく処理系が組み込まれていれば、その評価値に基づいた処理が動作可能なのは当然である。もし、メイルの送付先において本実施形態に対応する評価値に基づく処理系が組み込まれていない場合は、評価値は当然無視されて取り扱われる。以上の処理を実行した後は、ステップＳ８１４へ進み、次のファイル操作が行われるまで入力待ちになる。
【００５７】
ステップＳ８１２において、ワーク領域に記憶されたファイル操作の種類が、ファイルを他のファイルにリンクする操作であるかのチェックを行い、リンクする操作であれば（ステップＳ８１２でＹＥＳ）ステップＳ８１３に進み、それ以外の操作であれば（ステップＳ８１２でＮＯ）ステップＳ８１４に進み、ファイル操作評価値決定記憶処理を終了する。もし、他のファイル操作処理で評価値を変更する処理が追加された場合は、このステップＳ８１４以降にその処理であるかの条件判断とその評価値の更新処理を追加することになる。
【００５８】
ステップＳ８１３においては、ファイルを他のファイルにリンクする処理を行い、ファイルの評価値を読み込み、評価値に＋２加算した後、その新たな評価値をファイルの評価値記憶領域に記憶させる。
【００５９】
この様に処理する事により、ファイル操作評価値決定記憶処理を実現し、ユーザが指示したファイル操作によって、ファイル内の評価値情報が更新される訳である。
【００６０】
次に、フローチャート図９を参照して、ファイルの一覧表示の処理を説明する。まず、ステップＳ９０１において、ファイルの一覧表示の処理を開始する。ここでは、ＲＡＭ７等の記憶領域においてワーク領域等の初期化、即ち、抽出したファイルを記憶する領域等の初期化処理等を実行する。
【００６１】
ステップＳ９０２において、ソートするキーを何にするかの入力を受け付ける。本実施形態ではソートキーとして、ファイルの日付（最終更新日時や新規作成日時等）と、図８のフローチャートで説明した評価値とが選択可能であるものとする。本実施形態に対応する情報処理装置は、設定用のソフトキー（不図示）を表示部２０２に表示制御してユーザに選択させ、日付順で一覧表示をするか、或いは、評価値順で一覧表示をするかを設定させる。尚、本実施形態においては、選択可能なソートキーとしてファイルの日付と評価値とが選択可能な構成について説明するが、これに限られるわけではない。例えば、ファイルの名前やファイルのサイズ等をソートキーとして選択可能な構成にしてもよい。
【００６２】
次に、ステップＳ９０３において、ステップＳ９０２で選択されたソートキーが評価値であるか否かのチェックを行う。評価値でのソートが選択されていれば（ステップＳ９０３でＹＥＳ）ステップＳ９０４に進み、そうでなければ（ステップＳ９０３でＮＯ）日付順のソートであるからステップＳ９０５に進む。
【００６３】
ステップＳ９０４において、携帯情報機器１に記憶している全ファイルを評価値の高い順にソートする処理を行う。図７で表したように、各ファイルの内部には評価値が記憶されているので、ファイル名と評価値を読み込んで、公知技術であるバブルソート等のソートアルゴリズムを利用して、ファイル名と評価値の値を評価値の高い順に配列し、ワークエリアに記憶制御する。次にステップＳ９０６に進む。
【００６４】
ステップＳ９０６においては、評価値のレベルに応じて、ファイルアイコンの表示を変更する処理を行う。即ち、本実施形態においては、ファイルのアイコン表示のコントラストを評価値のレベルによって変更する処理を行う。例えば、評価値４０以上を重要レベルとして、アイコンファイルのビットマップデータのコントラストを高める処理を行う。評価値４０以下から２０以上の間のファイルは、通常レベルとして、アイコンファイルのビットマップデータのコントラストをそのままで表示する。評価値２０以下のファイルは、低レベルとして、アイコンファイルのビットマップデータのコントラストを低める処理を行う。例えば、図７の表に例示したようなファイルについて一覧表示を行う場合、図５で表した一覧表示例の様に、評価値が４４のｔａｋｅ５５．ＭＰ３については重要レベルとしてコントラストを高めたファイルアイコン５０３を表示制御し、評価値が２０のｔａｋｅ３．ＭＰ３については通常レベルとして通常のコントラストのアイコン５０４ａを表示制御し、評価値が１７のｔａｋｅ５．ＭＰ３については低レベルとしてコントラストを下げたアイコン５０５を表示制御する。
【００６５】
尚、ファイルアイコンの表示を変化させる方法はアイコンのコントラストを変化させる方法に限られない。例えば、ファイル名の表示テキスト色や、表示の背景の色、アイコンのサイズ等を変化させるようにしてもよいし、或いは、アイコン上に重要度を示す数字やアイコン等を付加するようにしてもよい。また、本実施形態においては、評価値のレベルに応じたファイルのアイコンは、ステップＳ９０６において、例えば、コントラストを変化させる等の処理がなされた上で表示制御されるが、予め評価値のレベルに対応したアイコンを用意しておく構成としてもよい。また、ここで述べた例では、３段階の評価値のレベルが定義されているが、これに限られるわけではなく、例えば、任意の段階を設けてもよいし、評価値に応じて連続的にレベルが決定されるような構成としてもよい。
【００６６】
このように構成することで、評価値に基づいてアイコン表示の表示方法が変化するため、ファイルの重要度を一目して判別することができる。ステップＳ９０６の処理が終了したらステップＳ９０７へ進む。
【００６７】
ステップＳ９０５においては、携帯情報機器１に記憶している全ファイルをファイルの更新日順にソートする処理を行う。ステップＳ９０２での処理で、ファイル更新時間順で一覧表示をする事が選択された場合この処理が呼ばれる。ファイル内のファイル更新時間や新規作成日時等（不図示）を読み込んで、そのファイル名とファイル更新時間のデータを更新時間の新しい順にソートすることにより実現される。次にステップＳ９０７へ進む。
【００６８】
ステップＳ９０７においては、ソートされたファイルの一覧表示を行う。ステップＳ９０５、又はステップＳ９０６でソートされたファイル名の順にファイルアイコンを表示制御し、図５のようなファイル一覧表示データを作成する。そして、図２の２０２の表示部に送出し、表示部２０２上に表示する訳である。ファイルのアイコン表示処理自体は、従来の通常のパーソナルコンピュータのファイル一覧表示アプリケーション等で行っている処理なので詳細な説明は行わない。
【００６９】
尚、例えば、図５，７に例示的に示したファイルｔａｋｅ３．ＭＰ３について、ユーザが表示再生処理やスクラッチ操作を実行した結果、評価値が２０から４２に増加したとする。この場合、ｔａｋｅ３．ＭＰ３の評価値は重要レベルに相当するため、図６のように、ｔａｋｅ３．ＭＰ３のファイルアイコン５０４ｂはファイル表示領域においてコントラストを高めた強調表示によって表示される。また、ｔａｋｅ３．ＭＰ３の評価値（４２）は、図７に示したファイルの中で、ｔａｋｅ５５．ＭＰ３の評価値（４４）の次に小さく、且つ、電子メイル１．ＥＴＸの評価値（４０）の次に大きいため、図６において、ｔａｋｅ３．ＭＰ３に対応するアイコンは、ｔａｋｅ５５．ＭＰ３に対応するアイコンと電子メイル１．ＥＴＸに対応するアイコンの間に表示制御されている。
【００７０】
この様な処理を行う事によって、ファイル評価値や日時等のソートキーの順にファイルアイコンを一覧表示することができる。ユーザは、ソートキーを選択してファイルアイコンソートすることができ、所望とするファイルに対応したアイコンを容易に見つけることができる。
【００７１】
次に、フローチャート図１０を参照して、削除推奨ファイル検索処理を説明する。まず、ステップＳ１００１において、削除推奨ファイル検索処理を開始する。ここでＲＡＭ７等の記憶領域においてワーク領域等の初期化、即ち、抽出したファイルを記憶する領域等の初期化処理等を実行する。
【００７２】
次に、ステップＳ１００２において、本実施形態に対応する情報処理装置（携帯情報機器１）記憶されている全ファイルから評価値が所定の閾値ｘ（例えば、１０）以下のファイルを検索する処理を行う。即ち、図７で示した記録構造に記憶されたファイルそれぞれについて、評価値記憶領域から評価値を読み込み閾値ｘ以下であれば、そのファイル名をワーク領域に記憶制御する処理を行う。本実施形態では、評価値が１０以下のファイルを削除推奨ファイルとして提示する構成について述べるが、ユーザによって削除する評価値の上限が異なる場合あるので、閾値ｘをユーザが設定できる構成にしても良い。また、長期間使用すると、ファイルの評価値の平均値は上昇する傾向にあるので、使用時間に比例して閾値ｘを上げるか、或いは、時間の経過とともに全てのファイルの評価値を削減する構成としても良い。
【００７３】
次に、ステップＳ１００３において、ステップＳ１００２で抽出したファイルをファイルの更新日の古い順にソートする処理を行う。これは、評価値が低くファイル更新日が古いファイルは、一般的に重要度が低いと考えられ削除候補として妥当であるからである。ステップＳ１００２でワーク領域に記憶したファイル名から、ファイル内の更新日の情報を読みだし、ファイル名と更新日のデータを更新日の古い順に適当なソートアルゴリズムでソートする。
【００７４】
次に、ステップＳ１００４において、上記検索結果のファイルの一覧表示を行う。ステップＳ１００３において、更新日の古い順にソートされたファイルのアイコンを表示部２０２条に表示し、そのアイコンの横に削除するか、削除しないかのチェックボックスを表示し、ユーザが削除するファイルを容易に選択可能にする。ファイルアイコンやチェックボックスの表示は一般的な処理なので説明は省く。
【００７５】
次に、ステップＳ１００５において、削除するファイルの選択及び決定を受け付ける処理を行う。本実施形態に対応する情報処理装置（携帯情報機器１）は、ステップＳ１００４において表示したチェックボックスに対する入力を受け付ける。あるチェックボックスの上がペン３によって押下されるとそのチェックボックスに対応するファイルが削除するものとして選択されたと判定する。このようにしてユーザが所望とするファイルを選択後、ペン３によって不図示の終了メニュー等が押下された場合、ユーザによる削除ファイルの選択は終了したと判定し、ステップＳ１００６へ進む。
【００７６】
次に、ステップＳ１００６において、ステップＳ１００５で削除しないと決定されたファイルについて、その評価値を上げるか否かの選択を受け付ける処理を行う。ステップＳ１００５で選択されなかったファイルは削除したくないファイルであるから、ここで評価値を加算するかどうかをユーザに選択させる。今回だけ削除しない場合は、評価値を加算しなくても構わないが、そのままの状態であると、次回の削除推奨ファイル検索処理において同一ファイルが再び抽出されるので、そのファイルが残しておきたいファイルであれば、ここで評価値を加算するように推奨する旨を表示制御する。その結果、ユーザにより評価値に加算するように指示された場合は、例えばここで評価値の加算値として新たな評価値が１０以上になるような値を加算し、加算後の新たな評価値を記憶制御する。加算するように指示されなかった場合は、何も処理を行わない。なお、用途や目的に応じてユーザに評価値を加算するかどうかは問い合わせず、自動的に加算するような構成にしてもよい。
【００７７】
次に、ステップＳ１００７において、削除決定されたファイルを削除する処理を行う。ステップＳ１００５でチェックボックスがチェックされたファイルは削除が選択されたので、そのファイルを削除する。順次チェックボックスがチェックされたファイルを削除していく。削除処理が終了したら、ステップＳ１００８へ進み削除推奨ファイル検索処理を終了する。
【００７８】
以上のように構成することで、重要度が低いファイルを削除候補のファイルとしてユーザに提示することができる。
【００７９】
＜＜第２実施形態＞＞
第１実施形態では、単体の携帯情報機器１による実施形態について説明を行ったが本発明に係る実施形態はこれに限られない。例えば、外部装置としての情報処理装置であるＰＣ（以下、ホストコンピュータと呼ぶ）５と、携帯情報機器１とが連携してファイル管理を容易にする構成としてもよい。
【００８０】
一般に携帯情報機器１のファイル記憶容量は、ＰＣのファイル記憶容量と比較して非常に小さい。このため、カメラ機能を備えた携帯情報機器１において撮像を繰り返すと、そのファイル記憶容量の空きが比較的すぐに無くなってしまう。一方、１日にその携帯情報機器１上でアクセスするファイルは限られており、ユーザが保有する全てのファイルを携帯情報機器１上の記憶装置に記憶しておく必要はない。そこで、携帯情報機器１上で用いうる全てのファイルをＰＣに記憶させておき、必要に応じて所望のファイルを携帯情報機器１に転送して使用する利用形態が考えられる。
【００８１】
本実施形態においては、ホストコンピュータ５から携帯情報機器１へ、携帯情報機器１のファイルデータを送出する状況において、重要度の高いファイルデータを優先的に送出制御することを可能とする構成について述べる。図１１は携帯情報機器１、及び、ホストコンピュータ５の機能構成図である。図１１において、図３に含まれる構成要素と同一の符号で参照された構成要素は第１実施形態における構成要素と同様であるので、説明を省く。
【００８２】
図１１において、１１０１は、通信インタフェースとして機能するファイル通信部であり、ファイル記憶部３０３から送られて来るファイルデータを、通信カード２０７を利用して適切な通信プロトコル（例えば、ＴＣＰ／ＩＰ等）によりホストコンピュータ５に送り出したり、ホストコンピュータ５から送られてくるデータを受信する機能を有する。
【００８３】
ホストコンピュータ５は、一般的なＰＣや携帯情報機器等の情報処理装置であり、少なくとも、大容量ファイル記憶部１１０２、ファイル編集部１１０３、操作重み付け評価処理部１１０４、ファイル抽出部１１０５を備えている。また、ホストコンピュータ５には、一般的な、通信部（通信インタフェース）や入出力部（入出力装置）が備わっている。図１１のように、ホストコンピュータ５と携帯情報機器１とは、所定の通信インタフェースを介して互いに通信可能であるものとする。
【００８４】
大容量ファイル記憶部１１０２は、大容量メモリとして機能する構成要素であり、例えば、一般的なハードディスク（ＨＤ）等で実現されている。本実施形態では、ファイル記憶部３０３の記憶容量と比べて大容量（例えば、数１０倍以上）のファイルを記憶できるものとするが、もちろんこれに限られるわけではない。
【００８５】
ファイル編集部１１０３は、ファイルを編集可能とする処理を実行する要素であり、例えば、ワードプロセッサ・アプリケーションや描画ソフトウェア等によって実現される。操作重み付け評価処理部１１０４は、第１実施形態において説明した携帯情報機器１の操作重み付け評価処理部３０４と同様の処理を行う構成要素である。ホストコンピュータ５においても操作重み付け評価処理部１１０４を備えることで、携帯情報機器１での操作履歴だけでなくホストコンピュータ５での操作履歴をも加味して各ファイルの評価値を決定することができる。
【００８６】
ファイル抽出部１１０５は、大容量ファイル記憶部１１０２に記憶されている全ファイルの中から評価値等に基づいてファイルを抽出し、適切な通信プロトコルを利用して携帯情報機器１にファイルを転送する処理を行う構成要素である。
【００８７】
次に、第２実施形態におけるファイルの操作種別毎の評価値への重み付けについて図１２を参照して説明する。図１２は、第２実施形態における操作種類毎の、操作重み付け評価値、ファイル操作処理例を表した表である。但し、図１２には、第１実施形態の図４に記載した操作と同一の操作に関しては表示を省略している。図１２のように、第２実施形態においては、ファイルをホストコンピュータ５から携帯情報機器１に転送する操作、ファイルを携帯情報機器１上から削除する操作、ファイルをインターネットに登録する操作、他のホストコンピュータ上のアプリケーションからファイルをインポートする操作等が定義されている。尚、評価値への重み付け値が定義される操作の種類はこれらに限られるわけではない。
【００８８】
図１３、図１４は、ホストコンピュータ５において、ユーザが転送するファイルを確認可能とする、転送ファイル確認画面である。この図については後に説明する。
【００８９】
次に、ホストコンピュータ５から携帯情報機器１へファイルを転送する処理について図１５を参照して説明する。図１５は、転送ファイル抽出処理のフローチャートである。図１５の処理は、ホストコンピュータ５が、ユーザより転送先のアドレスの入力等を受け付け転送指令を入力された後に、ホストコンピュータ５により実行される。
【００９０】
まず、ステップＳ１５０１において、転送ファイル抽出処理が開始される。ここでは、ＲＡＭ７等の記憶領域においてワーク領域等の初期化、即ち、抽出されたファイルを記憶しておく領域の初期化処理等を実行する。
【００９１】
次に、ステップＳ１５０２において、転送予定ファイルの総容量を計算する処理を行う。ただし、転送予定ファイルは、ホストコンピュータ５上で新たに作られた携帯情報機器１用のファイルや、携帯情報機器１から転送された後編集操作されたファイル等の、一般的に携帯情報機器１と共有が必要と思われるファイルである。ホストコンピュータ５は、ファイルの最終更新日時や新規作成日時、ファイルが作成された情報処理装置のＩＤ等の情報に基づいて転送予定ファイルを抽出し、そのファイルの容量を加算して、転送ファイルの総容量を計算する処理を行う。なお、転送予定ファイルの選択はユーザの指示入力に基づいて行うような構成にしてもよい。
【００９２】
次に、ステップＳ１５０３において、携帯情報機器１のファイルの記憶可能容量を問い合わせる処理を行う。本実施形態においては、予め携帯情報機器１に、通信カード２０７等を通して送られて来る記憶領域の空き容量を問い合わせる旨のメッセージ・パケットを受け取ると、記憶領域の空き容量を取得し、パケットの送信元に取得した空き容量値を含むパケットを送出する処理を実行可能な要素を組み込んでおく。その上で、ホストコンピュータ５は携帯情報機器１に対して記憶領域の空き容量を問い合わせる旨のメッセージ・パケットを送出し、それに対する返答パケットから携帯情報機器１の記憶装置の空き容量値を取得する。
【００９３】
次に、ステップＳ１５０４において、転送予定ファイルの総容量と携帯情報機器１の空き容量とを比較して、携帯情報機器１の空き容量が転送予定ファイルの総容量よりも大きいか又は等しいか否かを判定する。空き容量が大きい又は等しい場合（ステップＳ１５０４でＹＥＳ）はステップＳ１５０７に進み、そうでなければ（ステップＳ１５０４でＮＯ）ステップＳ１５０５に進む。携帯情報機器１の空き容量が転送予定ファイルの総容量よりも大きいか又は等しい場合（即ち、ステップＳ１５０４でＹＥＳの場合）、携帯情報機器１は既に記憶しているファイルを保持しつつ、全ての転送予定ファイルを記憶することができる。
【００９４】
ステップＳ１５０５においては、携帯情報機器１へ転送予定の全てのファイルの中から、ファイルを評価値の高い順に携帯情報機器１の記憶可能容量まで抽出する処理を行う。ステップＳ１５０５の処理については、図１３、１４、１８を参照して説明する。図１８は、ステップＳ１５０５によるファイル抽出処理の詳細を示すフローチャートである。
【００９５】
まず、ステップＳ１８０１において、全ての転送予定ファイルについてその評価値を読みだし、評価値の高い順に転送予定ファイルをソートする。
【００９６】
次に、ステップＳ１８０２〜ステップＳ１８０５の処理によって、評価値の高い転送予定ファイルから順にその容量を加算していった場合において、その加算値がステップＳ１５０３で取得した携帯情報機器１の記憶可能容量を超える直前までの、評価値の高い順の転送予定ファイルの集合を抽出する。
【００９７】
ステップＳ１８０２においては、パラメータｉ及びｓｕｍの記憶領域を確保し、それぞれ初期値としてｉ←１、ｓｕｍ←０を設定する。
【００９８】
次に、ステップＳ１８０３において、パラメータｓｕｍの値と携帯情報機器１の記憶可能容量Ｓとを比較し、パラメータｓが記憶可能容量Ｓよりも大きいか否かを判定する。大きい場合（ステップＳ１８０３でＹＥＳ）はステップＳ１８０６へ進み、そうでない場合（ステップＳ１８０３でＮＯ）はステップＳ１８０４へ進む。携帯情報機器１の記憶領域が全て使用されていない限りＳの値は０よりも大きいため、ステップＳ１８０３における１回目の判定は通常ＮＯとなる。尚、Ｓの値は携帯情報機器１の記憶可能容量と必ずしも一致していなくてもよい。例えば、携帯情報機器１の記憶可能容量の、ユーザの指示入力により指定された割合（例えば５０％）としてもよい。
【００９９】
ステップＳ１８０４においては、パラメータｓｕｍに対して、ステップＳ１８０１の処理によってｉ番目にソートされた転送予定ファイルのファイルサイズ（容量）ｓｉｚｅiを加算する。そして、ステップＳ１８０５においてパラメータｉの値を１インクリメントし、ステップＳ１８０３へ戻る。
【０１００】
以上のようなステップＳ１８０３〜ステップＳ１８０５の処理を繰り返し行った場合、ステップＳ１８０３でＹＥＳと判定された時点でのパラメータｉの値をｉ’とすると、
ｓｉｚｅ1＋・・・＋ｓｉｚｅi'-1  ≦  Ｓ  ＜  ｓｉｚｅ1＋・・・＋ｓｉｚｅi'
が成り立つことは明らかである。
【０１０１】
そこで、ステップＳ１８０６においては、ステップＳ１８０１においてソートされた転送予定ファイルのうち、１，・・・，ｉ−１番目のファイルについてホストコンピュータ５の表示部（不図示）に一覧表示を行い、ユーザに転送ファイルの確認を行わせる。図１３は、転送ファイル確認画面を例示的に示した図である。
【０１０２】
図１３のように、転送予定ファイルのそれぞれについて、対応するアイコン、ファイル名、評価値、最終更新日時、転送中止ボックス１３０３を表示領域１３０１に表示する。ユーザにより転送中止ボックス１３０３がチェックされると、ホストコンピュータ５はチェックされたファイルについては転送を中止する。図１４は、ファイル名が運動会．ＭＱＶのファイルに対して、転送中止が設定されている様子を示している。
【０１０３】
１３０２はスクロールバーである。表示領域１３０１に抽出された全ての転送予定ファイルを同時に表示することができない場合、ホストコンピュータ５は、表示可能な数の転送予定ファイルの情報を表示領域に表示制御し、ユーザからの指示入力（例えばマウス等の座標入力部によりなされる）によるスクロールバー１３０２の選択に基づいて、表示する転送予定ファイルの情報を適宜切り替える。これによりユーザは抽出された全ての転送予定ファイルの情報にアクセスすることができる。
【０１０４】
１３０６は、転送ファイル追加ボタンであり、ユーザの指示入力によりこのボタンが選択（押下）された場合、ホストコンピュータ５はその記憶装置に記憶されたファイルのうち所望のものをユーザ選択可能なように制御し、選択されたファイルを一覧表示された転送予定ファイルに追加する。これによりユーザは、一覧表示に所望のファイルが無い場合は、このボタンを押下することで、所望のファイルを呼び出し追加することができる。
【０１０５】
１３０４はキャンセルボタンであり、ユーザの指示入力により選択（押下）された場合、ファイルの転送処理を中止する。
【０１０６】
１３０５はＯＫボタンであり、ユーザは、転送ファイルの設定等を終了し、その設定で転送を開始して良い場合は、このチェックボタンを押す。ユーザの指示入力により選択（押下）された場合、ステップＳ１５０６へ進む。
【０１０７】
尚、ファイルを追加したことによって転送予定のファイルの合計サイズが携帯情報機器１の空き容量を上回った場合は、その旨を表示制御し、ＯＫボタン１３０５を選択できないように制御する。転送中止ボックス１３０３へのチェックにより転送予定のファイルの合計サイズが携帯情報機器１の空き容量以下になった場合は、再びＯＫボタン１３０５を選択できるように制御する。
【０１０８】
また、用途や利用形態により転送ファイルの確認が必要ない場合は、転送ファイル確認画面の表示を省略してステップＳ１５０６へ進む構成としてもよい。
【０１０９】
図１５の説明に戻る。ステップＳ１５０６においては、ステップＳ１５０５において抽出し、ユーザにより確認されたファイルを携帯情報機器１側に転送する処理を行う。即ち、ホストコンピュータ５と携帯情報機器１とを接続する、通信カード２０７（ローカルエリアネットワークカード等）等の通信インタフェースを介して、抽出したファイルを携帯情報機器１へ転送制御する。携帯情報機器１は転送されたファイルをＲＡＭ７等の記憶装置に記憶制御する。そして、ステップＳ１５０８へ進み処理を終了する。
【０１１０】
一方、ステップＳ１５０７においては、全ての転送予定ファイルについて転送処理を行う。ファイルの転送処理はステップＳ１５０６と同様である。そして、ステップＳ１５０８へ進み処理を終了する。
【０１１１】
以上のように、上記構成によればホストコンピュータ５から携帯情報機器１へ重要度の高いファイルデータを優先的に送出制御することができる。これにより、転送予定のファイルのサイズの合計値が携帯情報機器１の空き容量を上回る場合においても、容易な操作で転送するファイルを絞り込むことが可能となる。
【０１１２】
尚、上記の構成においては、基本的に評価値のみに基づいて転送するファイルを抽出していたが、他の要素を加味して抽出処理を行ってもよい。例えば、携帯情報機器１においてアクセスされるファイルは、ビジネスシーンで使われる場合と、プライベートで使われる場合とで異なる状況が想定される。そこで、ファイルに対して、ビジネスとプライベートを区別するラベル情報を付加し、ファイルの転送時の曜日、日時情報等から、プライベートでの使用が想定される休日の時は、プライベートのラベルが付いているファイルの評価値を高く評価し、それ以外の日はビジネスのラベルが付いているファイルの評価値を高く評価して、ファイルを抽出しファイル転送を行ってもよい。
【０１１３】
また、もちろん携帯情報機器１からホストコンピュータ５へファイル転送を行う場合においても、本実施形態で述べた処理を行ってもよい。
【０１１４】
＜＜第３実施形態＞＞
長期間携帯情報機器１を使用し続けると、携帯情報機器１の記憶装置に不要なファイルが増える傾向にある。携帯情報機器１の記憶容量は一般的に小さいため、ファイル管理の観点から不要なファイルを整理することが必要である。そこで、本実施形態では携帯情報機器１に記憶された全てのファイルがホストコンピュータ５にも記憶されており、ホストコンピュータ５において不要なファイルを自動的に抽出することで、ホストコンピュータ５及び携帯情報機器１のファイル管理を容易にする構成について図１６、１７を参照して説明する。
【０１１５】
図１７は、削除するファイルを抽出し、削除決定を行う処理を表したフローチャートである。ステップＳ１７０１において、削除ファイル抽出処理を開始する。ここでは、所定の記憶装置（不図示）の記憶領域においてワーク領域等の初期化、即ち、抽出されたファイルを記憶する領域等の初期化等を実行する。
【０１１６】
次に、ステップＳ１７０２において、記憶装置に記憶された全てのファイルについてその評価値を参照し、評価値が所定の閾値ａ（例えば、２０）以下のファイルを抽出する。ただし、スケジュールファイルやＴｏＤｏファイル等、所定のイベントと関連しており、その関連するイベントが終ると消去するファイルは参照対象から除外する。そして、抽出されたファイルのリスト情報をワーク領域の一領域（以下、削除ファイル記憶領域と呼ぶ）に一時的に記憶制御する。尚、削除ファイル記憶領域に記憶されたリスト情報は、各ファイルについて、削除中止をするか否かを示すフラグ（以下、削除中止フラグと呼ぶ）を有しているものとする。初期状態において、削除中止フラグは削除中止を行わないことを意味する値に設定されている。
【０１１７】
次に、ステップＳ１７０３において、ステップＳ１７０２において参照対象から除外した、スケジュールファイルやＴｏＤｏファイル等の所定のイベントと関連している全てのファイルについてその評価値と最終アクセス日時とを参照し、評価値が所定の閾値ｂ（例えば、２５）以下で、且つ、ステップＳ１７０３の処理日時と最終アクセス日時との差分が所定の閾値ｃ（例えば１ヶ月）以上の（即ち、所定の閾値ｃ以上の期間アクセスされなかった）ファイルを抽出する処理を行う。そして抽出されたファイルについて、そのリスト情報をステップＳ１７０２で削除ファイル記憶領域に記憶制御されたリスト情報に追加する。このように時間情報と関連のあるファイルについては時間情報を加味して、ファイルの抽出を行うことで不要なファイルの抽出精度を高めることができる。
【０１１８】
次に、ステップＳ１７０４において、ステップ１７０２、Ｓ１７０３で抽出し削除ファイル記憶領域に記憶したファイルについて、その情報を削除ファイル確認画面に一覧表示しユーザに削除するファイルの確認を促す。図１６は、削除ファイル確認画面を例示的に示した図である。
【０１１９】
図１６において、１６０１は、削除候補の各ファイルについてアイコンや、ファイル名、評価値、最終アクセス日時、削除中止設定チェックボックス１６０３等の情報を表示する表示領域である。
【０１２０】
１６０２はスクロールバーである。表示領域１６０１に抽出された全ての削除候補ファイルを同時に表示することができない場合、携帯情報機器１は、表示可能な数の削除候補ファイルの情報を表示領域に表示制御し、ユーザからの指示入力によるスクロールバー１６０２の選択に基づいて、表示する削除候補ファイルの情報を適宜切り替える。これによりユーザは抽出された全ての削除候補ファイルの情報にアクセスすることができる。
【０１２１】
１６０３は、削除中止設定チェックボックスであり、ユーザの指示入力により選択可能に制御し、選択されたファイルについては削除処理の対象から除外する。例えば、図１６において、ｔａｋｅ１．ＭＰ３は削除を中止するファイルとして選択されている。
【０１２２】
１６０６は、削除ファイル追加ボタンであり、ユーザの指示入力によりこのボタンが選択（押下）された場合、携帯情報機器１はその記憶装置に記憶されたファイルのうち所望のものをユーザ選択可能なように制御し、選択されたファイルを一覧表示された削除候補ファイルに追加する。これによりユーザは、一覧表示に所望のファイルが無い場合は、このボタンを押下することで、所望のファイルを呼び出し追加することができる。
【０１２３】
１６０４はキャンセルボタンであり、ユーザの指示入力により選択（押下）された場合、ファイルの削除処理を中止する。
【０１２４】
１６０５はＯＫボタンであり、ユーザは、削除ファイルの設定等を終了し、その設定で削除処理を開始して良い場合は、このチェックボタンを押す。
【０１２５】
図１７の説明に戻る。ステップＳ１７０５において、ＯＫボタン１６０５が押下されたかどうかのチェックを行う。ＯＫボタン１６０５が押下された場合（ステップＳ１７０５でＹＥＳ）はステップＳ１７１０に進み、削除候補ファイルのうち削除中止選択がなされていないものについて削除処理を行う。ボタンが押下されてない場合（ステップＳ１７０５でＮＯ）はステップＳ１７０６に進む。
【０１２６】
ステップＳ１７０６においては、キャンセルボタン１６０４が押下されたかどうかのチェックを行い、押下されていれば（ステップＳ１７０６でＹＥＳ）ステップＳ１７０９に進む。押下されていなければ（ステップＳ１７０６でＮＯ）、ステップＳ１７０７に進む。
【０１２７】
ステップＳ１７０７においては、削除ファイル追加ボタン１６０６が押されたかどうかのチェックをおこなう。押されていれば（ステップＳ１７０７でＹＥＳ）ステップＳ１７０８へ進む。押されていなければ（ステップＳ１７０７でＮＯ）、ステップＳ１７１２に進む。
【０１２８】
ステップＳ１７０８においては、削除候補ファイルにユーザが所望とするファイルを追加する処理を行う。ステップＳ１７０２、１７０３で抽出したファイルは評価値が低い等の一定の要件を満たしているが、評価値が高くてもユーザが消去したいファイル等が存在する場合もあるからである。携帯情報機器１の記憶装置に記憶された全てのファイルを表示制御し、その中からユーザに消去したいファイルを選択させ、選択が終了すると削除ファイル記憶領域のリストを更新して、ステップＳ１７０５へ戻る。
【０１２９】
ステップＳ１７１２においては、削除中止チェックボックスの選択処理を行う。即ち、ユーザの指示入力に基づいて、表示部（不図示）にチェックボックス１６０３が表示されている座標が選択された場合は、そのチェックボックスを図１６のｔａｋｅ１．ＭＰ３のように選択状態にする。既に選択状態になっているチェックボックスが再び選択された場合は、非選択状態にする。削除中止が選択されたファイルについては、その削除中止フラグを削除中止することを意味する値に設定する。そして、チェックボックス１６０３が選択された場合もそうでない場合もステップＳ１７１３へ進む。
【０１３０】
ステップＳ１７１３においては、一般的なスクロールバーの処理を行う。即ち、指示入力によって、スクロールバー１６０２が選択され移動するように指定された場合、その移動量に応じて、表示領域１６０３における表示をスクロールさせる。これにより、消去候補ファイルの情報が一画面に収まらない場合においても、ユーザは全ての消去候補ファイルの情報にアクセスすることができる。スクロールバーの処理が終了したら、ステップＳ１７０５へ戻り、次の入力操作が行われるまで待機する。
【０１３１】
ステップＳ１７１０においては、削除決定したファイル（即ち、削除中止フラグが削除中止しないことを意味する値に設定されている削除候補ファイル）の削除処理を行う。削除処理は、記憶装置から削除対象のファイルの情報を消去し、更に、ネットワークを介して接続された携帯情報機器１に対して、対応するファイルを指定して消去するように指示する。このような指示をホストコンピュータ５から受け取ると、携帯情報機器１は指定されたファイルを消去する。尚、ホストコンピュータ５において削除処理を行っている時に携帯情報機器１と接続されていない場合は、どのファイルを削除したかを記録した削除メッセージを記憶しておき、携帯情報機器１と通信可能になった時点で削除メッセージを送出して、携帯情報機器１は受信した削除メッセージに基づいて該当するファイルを削除するような構成にしてもよい。
【０１３２】
また、用途や目的に応じて、例えば、ホストコンピュータ５における削除処理と連動して、ネットワークを介して接続された他の情報処理装置や、所定の記憶媒体等に削除したファイルを自動的に転送する処理を行ってもよい。
【０１３３】
ステップＳ１７１０の処理が終了したらステップＳ１７１１へ進む。
【０１３４】
ステップＳ１７０９においては、削除ファイル抽出処理の中止処理を行う。即ち、削除ファイル記憶領域を消去し、ステップＳ１７１１へ進む。
【０１３５】
ステップＳ１７１１においては、処理を終了する。即ち、図１６に例示した削除ファイル確認画面の表示を消去し、ワーク領域の消去等を行う。
【０１３６】
以上のように、ホストコンピュータ５において携帯情報機器１の不要なファイルを自動抽出することにより、煩雑な手間を伴わずに携帯情報機器１のファイルを管理することができる。
【０１３７】
尚、図１７で示した処理を携帯情報機器１において実行する構成としても構わない。この場合、ホストコンピュータ５と接続することなく携帯情報機器１単独で容易に不要なファイルの管理を行うことができる。
【図面の簡単な説明】
【０１３８】
【図１】本実施形態に対応する情報処理装置の使用形態を模式的に示した図である。
【図２】本実施形態に対応する情報処理装置のブロック図である。
【図３】本実施形態に対応する情報処理装置の機能構成図である。
【図４】ファイル操作種類毎の、操作重み付け評価値、ファイル操作処理例を表した図である。
【図５】ファイルの一覧表示画面を例示的に示した図である。
【図６】ファイルの一覧表示画面を例示的に示した図である。
【図７】記憶装置に記憶されたファイルの記録構造を模式的に示した図である。
【図８】本実施形態に対応する情報処理装置におけるファイル操作評価値決定記憶処理の流れを示したフローチャートである。
【図９】本実施形態に対応する情報処理装置におけるファイルの一覧表示の処理の流れを示したフローチャートである。
【図１０】本実施形態に対応する情報処理装置における削除推奨ファイル検索処理の流れを示したフローチャートである。
【図１１】携帯情報機器及びホストコンピュータの機能構成図である。
【図１２】ファイル操作種類毎の、操作重み付け評価値、ファイル操作処理例を表した図である。
【図１３】ユーザが転送するファイルを確認可能とする、転送ファイル確認画面を例示的に示した図である。
【図１４】ユーザが転送するファイルを確認可能とする、転送ファイル確認画面を例示的に示した図である。
【図１５】転送ファイル抽出処理の流れを示したフローチャートである。
【図１６】削除ファイル確認画面を例示的に示した図である。
【図１７】削除するファイルの抽出し・決定を行う処理の流れを示したフローチャートである。
【図１８】ファイル抽出処理の詳細を示すフローチャートである。
【図１】
2006318097.tif 000003
【図２】
2006318097.tif 000004
【図３】
2006318097.tif 000005
【図４】
2006318097.tif 000006
【図５】
2006318097.tif 000007
【図６】
2006318097.tif 000008
【図７】
2006318097.tif 000009
【図８】
2006318097.tif 000010
【図９】
2006318097.tif 000011
【図１０】
2006318097.tif 000012
【図１１】
2006318097.tif 000013
【図１２】
2006318097.tif 000014
【図１３】
2006318097.tif 000015
【図１４】
2006318097.tif 000016
【図１５】
2006318097.tif 000017
【図１６】
2006318097.tif 000018
【図１７】
2006318097.tif 000019
【図１８】
2006318097.tif 000020